(57)【要約】【課題】  フレキシブル配線基板のグランドとフレキシブル配線基板と接続される基板のグランド電位を同一にし、開口部を小さくすることを可能にしたシールドケースを有する画像機器を提供すること。【解決手段】フレキシブル配線基板と、フレシキブル配線基板を接続する基板と、基板を直接グランド接地、保持し、フレキシブル配線基板を通す開口部を有した導電体と、基板を保持する導電体を一部とした、基板を覆うシールドケースを有する画像機器において、基板を保持する導電体の開口部がフレキシブル配線基板と少なくとも表裏１点づつ接触する接触構成を有することを特徴とする。【選択図】  図１
2014021404.tif 000002
【特許請求の範囲】
【請求項１】
フレキシブル配線基板と、
フレシキブル配線基板を接続する基板と、
基板を直接グランド接地、保持し、フレキシブル配線基板を通す開口部を有した導電体と、
基板を保持する導電体を一部とした、基板を覆うシールドケースを有する画像機器において、
基板を保持する導電体の開口部がフレキシブル配線基板と少なくとも表裏１点づつ接触する接触構成を有することを特徴とするシールドケースを有する画像機器。
【請求項２】
前記接触構成は少なくとも２箇所のベンド形状であることを特徴としたシールドケースを有することを特徴とする請求項１に記載のシールドケースを有する画像機器。
【請求項３】
前記導電体は金属であることを特徴とする請求項１又は請求項２に記載のシールドケースを有する画像機器。
【請求項４】
前記接触構成は前記フレキシブル配線基板に触れる側をダレ面にすることを特徴とする請求項１乃至請求項３の何れか１項に記載のシールドケースを有する画像機器。
【請求項５】
前記接触構成は
前記フレキシブル配線基板の表面と接触する第１の接触部と
前記フレキシブル配線基板の裏面と接触する第２の接触部とを有し、
前記フレキシブル配線基板のパターン面に垂直な方向に関して
前記第１の接触部から前記第２の接触部までの距離が
フレキシブル配線基板の厚さよりも小さいことを特徴とする請求項１乃至請求項４の何れか１項に記載のシールドケースを有する画像機器。
【請求項６】
前記シールドケースは画像機器のパネル駆動基板を覆うことを特徴とする請求項１乃至請求項５の何れか１項に記載のシールドケースを有する画像機器。
【請求項７】
フレキシブル配線基板と、
フレシキブル配線基板を接続する基板と、
基板を直接グランド接地、保持し、フレキシブル配線基板を通す開口部を有した導電体と、
基板を保持する導電体を一部とした、基板を覆うシールドケースを有する画像機器において、
基板を保持する導電体の開口部がバネ性能によってフレキシブル配線基板と少なくとも表裏１点づつ接触するバネ形状を有することを特徴とするシールドケースを有する画像機器。
【請求項８】
前記導電体は金属であることを特徴とする請求項７に記載のシールドケースを有する画像機器。
【請求項９】
前記バネ形状は前記フレキシブル配線基板に触れる側をダレ面にすることを特徴とする請求項７又は請求項８に記載のシールドケースを有する画像機器。
【請求項１０】
前記シールドケースは画像機器のパネル駆動基板を覆うことを特徴としたシールドケースを有することを特徴とする請求項７乃至請求項９の何れか１項に記載のシールドケースを有する画像機器。
【発明の詳細な説明】
【技術分野】
【０００１】
本発明は、画像機器に関し、特に基板を覆うシールドケースに関するものである。
【背景技術】
【０００２】
従来、不要輻射の抑制のためにシールドケースによって基板を覆う構成を持つものは多く存在し、シールドケースに開口部を設けフレキシブル配線基板によって基板同士を接続するものが知られている。その場合、フレキシブル配線基板によって不要輻射がシールド外へ輻射してしまう問題があった。そこで、別部材による保持、ヒートシンクなど、フレキシブル配線基板の先でグランド接地するものが特許文献１や特許文献２に開示されている。
【先行技術文献】
【特許文献】
【０００３】
【特許文献１】特開２００７−２７３８６４号公報
【特許文献２】特開２００５−１７４５２号公報
【発明の概要】
【発明が解決しようとする課題】
【０００４】
しかしながら、上述の特許文献に開示された従来技術では、フレキシブル配線基板と接触接地されるグランドとフレキシブル配線基盤と接続される基板のグランドに電位差が生じてしまう。また、フレキシブル配線基板を通すための開口部が広くなり、開口部からの不要輻射抑制のために別のシールドケースを要してしまう。
【０００５】
そこで、本発明の目的は、フレキシブル配線基板のグランドとフレキシブル配線基板と接続される基板のグランド電位を同一にし、開口部を小さくすることを可能にしたシールドケースを有する画像機器を提供することである。
【課題を解決するための手段】
【０００６】
上記目的を達成するために、本発明は、
フレキシブル配線基板と、
フレシキブル配線基板を接続する基板と、
基板を直接グランド接地、保持し、フレキシブル配線基板を通す開口部を有した導電体と、
基板を保持する導電体を一部とした、基板を覆うシールドケースを有する画像機器において、
基板を保持する導電体の開口部がフレキシブル配線基板と少なくとも表裏１点づつ接触する接触構成を有することを特徴とする。
【発明の効果】
【０００７】
本発明によれば、フレキシブル配線基板のグランドとフレキシブル配線基板と接続される基板のグランド電位を同一にし、開口部を小さくすることを可能にしたシールドケースを有する画像機器を提供することができる。
【図面の簡単な説明】
【０００８】
【図１】シールドケースと基板、フレキシブル配線基板の構成図
【図２】投射型画像表示装置の部分構成図
【図３】実施例１の開口部詳細図
【図４】実施例１の開口部拡大詳細図
【図５】色分離合成光学系の詳細図
【図６】実施例２の開口部詳細図
【発明を実施するための形態】
【０００９】
以下に、本発明の好ましい実施の形態を、添付の図面に基づいて詳細に説明する。図１は、本発明の実施形態にかかわる投射型画像表示装置のシールドケース構成図である。
【実施例１】
【００１０】
以下、図２を参照して、本発明の第１の実施例による、投射型画像表示装置のシールド部構成について説明する。
【００１１】
この図は、投射型画像表示装置１を構成する一部を示したものである。表示装置１内の光線は光源から照射され、照明光学系に入射、その後色分離合成光学系２を経由して投射レンズ３から投射される。
【００１２】
色分離合成光学系２内には画像形成部を有し、画像形成部は電気的変調によって形成されるため、電気変調を行う駆動基盤をシールドケース５によってシールドしている。そして、シールドケース５は図示していないＡＣインレットのグランドへ接続される。
【００１３】
次に、図１を参照して、シールドケース構成と導電体の開口部形状について説明する。
【００１４】
色分離合成光学系２において、液晶表示素子２１は入射した光を反射するとともに画像変調する反射型液晶表示素子であり、液晶表示素子２１は画像変調を駆動する回路基板４のコネクタ４１にフレキシブル配線基板２１２によって接続される。駆動回路基板４は不要輻射の要因を持つため、シールドケース５によって覆われている。
【００１５】
シールドケース５の構成は、２つの導電体としてのアルミ板金６、７から成り、ねじによって締結される。アルミ板金６は回路基板４のグランドと接地し保持する部分６２を有しており、アルミ板金７は不要輻射の放射を抑制するシールドカバーとして構成される。また、アルミ板金６はフレキシブル配線基板２１２を通す開口部６１Ａを有しており、開口部６１Ａはベンド形状を成すことでフレキシブル配線基板２１２の表裏両面に接触する構造である。
【００１６】
このことから、シールドケース５の一部を構成するアルミ板金６は、回路基板４のグランドと回路基板４に接続されるフレキシブル配線基板２１２の接触グランドを同一グランド電位にすることができ、各グランドのインピーダンス差によるグランド電位差を下げる効果を持つ。
【００１７】
図３と図４に開口部６１Ａの拡大図を示す。
【００１８】
図３より、開口部６１Ａのベンド形状はフレキシブル配線基盤２１２の回路平面に対して上部６１Ａ１と下部６１Ａ２によって形成される。図４は上部６１Ａ１と下部６１Ａ２の開口部正面からの図である。
【００１９】
図３より開口部６１Ａはフレキシブル配線基板２１２の厚さ方向から上部６１Ａ１と下部６１Ａ２が互い違いのベンド形状を成す。
【００２０】
本実施例において、上部６１Ａ１は２箇所、６１Ａ２は３箇所互い違いに設けられ、フレキシブル配線基板２１２に接触する。
【００２１】
以下、図３のフレキシブル配線基板２１２の厚さ方向を垂直方向、フレキシブル配線基板２１２の断面長手方向を水平方向とする。
【００２２】
図４より、開口部面積について示す。
【００２３】
上部接触辺６１Ａ１ａは上部６１Ａ１のベンド形状の一部であり、フレキシブル配線基板２１２と接触する一辺である。下部接触辺６１Ａ２ａは下部６１Ａ２のベンド形状の一部であり、フレキシブル配線基板２１２と接触する一辺である。
【００２４】
開口部６１Ａは、垂直方向は上部接触辺６１Ａ１ａと上部６１Ａ１の根元までの距離を一辺とし、水平方向は上部６１Ａ１が並列された間の距離を一辺とした、長方形の小さい開口部Ｓを有する。同様に、下部６１Ａ２側においても開口部Ｓを有するので、開口部６１Ａは小さな開口部Ｓを互い違いに５つ有した形状となる。
【００２５】
このことから、上部６１Ａ１と下部６１Ａ２がベンド形状を持つことで、フレキシブル配線基板のパターン面に対して上部においては上部６１Ａ１が、下部においては下部６１Ａ２が開口面積を小さくする。
【００２６】
上記より、基板から直接開口部を通って放射する不要輻射を防ぐことができる。
【００２７】
次に、フレキシブル配線基板２１２と開口部６１Ａの接触部分構成を示す。
【００２８】
図４より、上部接触辺６１Ａ１ａと下部接触辺６１Ａ２ａの垂直方向の間隔Δｄは隙間を有し、フレキシブル配線基板２１２の厚さより狭くなっている。
【００２９】
上記の通り、垂直方向の間隔Δｄにおいて、上部接触辺６１Ａ１ａと下部接触辺６１Ａ２ａが上下正対の状態で隙間を持つ場合、間隔Δｄをフレキシブル配線基板２１２の厚さよりも狭くすることでフレキシブル配線基板２１２の弾性を利用し表裏両面に対して確実に接触する。
【００３０】
また、他の形態として、フレキシブル配線基板２１２の弾性限界を超えない範囲で上部接触辺６１Ａ１ａと下部接触辺６１Ａ２ａの上下正対の状態でなく、隙間を持たない場合（オーバーラップ状態）においても、フレキシブル配線基板２１２の表裏両面に対して確実に接触させることができる。
【００３１】
このことから、フレキシブルは線基板２１２の挿入により、上部接触辺６１Ａ１ａと下部接触辺６１Ａ２ａがフレキシブルは線基板２１２に接触し、水平方向に対して細長いスリット開口部になることを抑制する。
【００３２】
上記より、細長いスリット開口部のアンテナ化に伴う不要輻射を防ぐ。
【００３３】
また、フレキシブル配線基板２１２へ接触する面はダレ面であり、フレキシブル配線基板２１２を切断および傷つけることを防ぐ構成である。
【００３４】
加えて、上部６１Ａ１と下部６１Ａ２は互い違いにベンド形状を形成することで、フレキシブル配線基板２１２の表裏両面に確実に接触する形状と板金平面展開時のプレス加工要件を満たすことができる。
【００３５】
これらのことより、回路基板４からの不要輻射とフレキシブル配線基板２１２を伝って放射する不要輻射をシールドケース５によって効率良く抑制することができる。
【００３６】
図５を参照して、色分離合成光学系２の構成を示す。
【００３７】
２０は青（Ｂ）と赤（Ｒ）の波長領域の光を反射し、緑（Ｇ）の波長領域の光を透過するダイクロイックミラー。２２は透明基板に偏光素子を貼着したＧ用の入射側偏光板であり、Ｐ偏光光のみを透過する。２３はＰ偏光光を透過し、Ｓ偏光光を反射する第１の偏光ビームスプリッタであり、偏光分離面を有する。
【００３８】
２１３Ｒ，２１３Ｇ，２１３Ｂはそれぞれ入射した光を反射するとともに画像変調する赤用の反射型液晶表示素子、緑用の反射型液晶表示素子、青用の反射型液晶表示素子である。２４Ｒ，２４Ｇ，２４Ｂはそれぞれ、赤用の１／４波長板、緑用の１／４波長板、青用の１／４波長板である。２５ａはＲの色純度を高めるためにオレンジ光をランプに戻すトリミングフィルタで、２５ｂは透明基板に偏光素子を貼着したＲＢ用の入射側偏光板であり、Ｐ偏光のみを透過する。２６はＲの光の偏光方向を９０度変換し、Ｂの光の偏光方向は変換しない色選択性位相差板である。２７はＰ偏光を透過し、Ｓ偏光を反射する第２の偏光ビームスプリッタであり、偏光分離面を有する。
【００３９】
２８ＢはＢ用出射側偏光板（偏光素子）であり、ＢのＳ偏光のみを整流し、２８ＧはＳ偏光のみを透過させるＧ用出側偏光板である。２９はＲＢ光を透過し、Ｇ光を反射するダイクロイックプリズムである。
【００４０】
以上のダイクロイックミラー２０からダイクロイックプリズム２９により、色分解合成光学系２が構成される。
【００４１】
このことから、液晶表示素子２１はＲ、Ｇ、Ｂの各色３つづつ存在し、アルミ板金５１には液晶表示素子２１Ｒ、２１Ｇ、２２Ｂそれぞれに対応するフレキシブル配線基板２１２Ｒ、２１２Ｇ、２１２Ｂを通す開口部６１ＡＲ、６１ＡＧ、６１ＡＢが同形状で設けられている。
【００４２】
実施例１では３色合成による反射型液晶表示素子を示したが、その他、一色、多色構成、透過型やＤＭＤ素子においても、その要旨の範囲である。また、シールドケース材料、ベンド形状の数、形状に関しても、その趣旨の要旨の範囲内で変更可能である。
【実施例２】
【００４３】
以下、図６を参照して、本発明の第２の実施例による、開口部６１Ｂについて説明する。
【００４４】
本実施例の開口部６１Ｂに関わる構成以外は基本的に実施例１と同様の構成となる。
【００４５】
シールドケースの一部である板金６は導電体としての銅板金６である。銅板金６において、フレキシブル配線基板２１２を通す開口部６１Ｂの形状は、バネ性能を有する形状であり、フレキシブル配線基板２１２の厚さ方向の開口部からバネ性能によって接触する構成である。
【００４６】
以下、図６のフレキシブル配線基板２１２の厚さ方向を垂直方向、フレキシブル配線基板２１２の断面長手方向を水平方向とする。
【００４７】
開口部６１Ｂの接触部に関して、フレキシブル配線基板２１２の回路パターン面に対して、バネ性能を有する形状は上部と下部に設けられ、バネ形状上部６１Ｂ１とバネ形状下部６１Ｂ２によって挟み込む構成である。
【００４８】
本実施例において、開口部６１Ｂは、バネ形状上部６１Ｂ１として２箇所、バネ形状下部６１Ｂ２として１箇所設けられおり、互い違いに配置されている。
【００４９】
実施例１同様、６１Ｂ１、６１Ｂ２を互い違いにバネ形状を設けることで、フレキシブル配線基板２１２のパターン面に対して上部においては上部６１Ｂ１が、下部においては下部６１Ｂ２が開口面積を小さくする。
【００５０】
上記より、基板から直接開口部を通って放射する不要輻射を防ぐことができる。
【００５１】
次に、フレキシブル配線基板２１２と開口部６１Ｂの接触部分構成を示す。
【００５２】
実施例１同様、垂直方向の間隔において、上部接触辺６１Ｂ１ａと下部接触辺６１Ｂ２ａが上下正対の状態で隙間を持つ場合、前記間隔をフレキシブル配線基板２１２の厚さよりも狭くすることでフレキシブル配線基板２１２の表裏両面に対して確実に接触する。
【００５３】
また、他の形態として、上部接触辺６１Ｂ１ａと下部接触辺６１Ｂ２ａの上下正対の状態でなく、隙間を持たない場合（オーバーラップ状態）においても、フレキシブル配線基板２１２の表裏両面に対して確実に接触させることができる。
【００５４】
このことから、実施例１同様、バネ形状によってフレキシブル配線基板２１２と確実に接触することで、開口部６１Ｂの水平方向に対して細長いスリット開口部になることを抑制している。
【００５５】
上記より、細長いスリット開口部のアンテナ化に伴う不要輻射を防ぐことができる。
【００５６】
フレキシブル配線基板２１２へ接触する面はダレ面であり、フレキシブル配線基板を切断および傷つけることを防ぐ構成である。
【００５７】
加えて、上部６１Ｂ１と下部６１Ｂ２は互い違いにバネ性能を有する形状を設けることで、フレキシブル配線基板２１２の表裏両面に確実に接触する形状と板金平面展開時のプレス加工要件を満たすことができる。
【００５８】
このことにより、回路基板４からの不要輻射とフレキシブル配線基板２１２を伝って放射する不要輻射をシールドケース５によって抑制することができる。
【００５９】
以上、本発明の好ましい実施形態について説明したが、本発明はこれらの実施形態に限定されず、その要旨の範囲内で種々の変形及び変更が可能である。
【符号の説明】
【００６０】
２１、画像変調素子
２１１、ヒートシンク
２１２、フレキシブル配線基板
６１Ａ、導電体開口部
【図１】
2014021404.tif 000003
【図２】
2014021404.tif 000004
【図３】
2014021404.tif 000005
【図４】
2014021404.tif 000006
【図５】
2014021404.tif 000007
【図６】
2014021404.tif 000008